(57)【要約】【課題】ディフューザと水平フラップとの干渉を防いで、ディフューザと水平フラップをスムーズに回動させることができる空気調和機を提供する。【解決手段】吹出通路の上側に回動自在に風上側が支持され、下面が吹出通路上側の一部を形成するディフューザと、吹出通路のディフューザの下側に回動自在に風上側が支持された第１水平フラップを備える。吹出通路の上側の壁面にディフューザの上側翼面がほぼ接した状態で第１水平フラップを全閉にした格納状態において、ディフューザの下側翼面と第１水平フラップの上側翼面との間が風下側に向かって徐々に狭くなっている。制御部は、ディフューザと第１水平フラップが同時に回動する動作を含む制御を行うとき、互いに干渉しないようにディフューザと第１水平フラップを制御する。【選択図】図１２
2010121878.tif 000002
【特許請求の範囲】
【請求項１】
吹出通路(３３)の上側に回動自在に支持され、下面が吹出通路(３３)上側の一部を形成するディフューザ(２３)と、
上記吹出通路(３３)の上記ディフューザ(２３)の下側に回動自在に支持された水平フラップ(２１)と
上記ディフューザ(２３)と上記水平フラップ(２１)を制御する制御部(１００)と
を備え、
上記吹出通路(３３)の上側の壁面に上記ディフューザ(２３)の上側翼面がほぼ接した状態で上記水平フラップ(２１)を全閉にした格納状態において、上記ディフューザ(２３)の下側翼面と上記水平フラップ(２１)の上側翼面との間が風下側に向かって徐々に狭くなっており、
上記制御部(１００)は、上記ディフューザ(２３)と上記水平フラップ(２１)が同時に回動する動作を含む制御を行うとき、互いに干渉しないように上記ディフューザ(２３)と上記水平フラップ(２１)を制御することを特徴とする空気調和機。
【請求項２】
請求項１に記載の空気調和機において、
上記制御部(１００)は、冷房運転中または暖房運転中の少なくとも一方において、上記ディフューザ(２３)と上記水平フラップ(２１)が回動する領域の少なくとも一部で同時にスイング動作するように、上記ディフューザ(２３)と上記水平フラップ(２１)を制御することを特徴とする空気調和機。
【請求項３】
請求項１または２に記載の空気調和機において、
上記制御部(１００)は、上記格納状態から上記ディフューザ(２３)と上記水平フラップ(２１)の回動動作を開始するときに、回動する上記水平フラップ(２１)に対して干渉しないように上記ディフューザ(２３)の回動を制御することを特徴とする空気調和機。
【請求項４】
請求項１から３までのいずれか１つに記載の空気調和機において、
上記制御部(１００)は、上記格納状態から上記ディフューザ(２３)と上記水平フラップ(２１)が回動動作を開始するとき、上記水平フラップ(２１)よりも上記ディフューザ(２３)の回動角速度を遅くすることを特徴とする空気調和機。
【請求項５】
請求項１から４までのいずれか１つに記載の空気調和機において、
上記制御部(１００)は、上記格納状態から上記ディフューザ(２３)と水平フラップ(２１)が回動動作を開始するとき、上記水平フラップ(２１)よりも上記ディフューザ(２３)の回動動作の開始を遅延させることを特徴とする空気調和機。
【請求項６】
請求項１から５までのいずれか１つに記載の空気調和機において、
上記吹出通路(３３)の上記水平フラップ(２１)の下側に回動自在に支持され、上記水平フラップ(２１)よりも翼長が短くかつ少なくとも一部が上記水平フラップ(２１)に重なる補助水平フラップ(２２)を備えたことを特徴とする空気調和機。
【請求項７】
請求項６に記載の空気調和機において、
上記制御部(１００)は、上記格納状態から上記水平フラップ(２１)と上記補助水平フラップ(２２)が回動動作を開始するとき、上記補助水平フラップ(２２)よりも上記水平フラップ(２１)の回動角速度を遅くすることを特徴とする空気調和機。
【請求項８】
請求項６または７に記載の空気調和機において、
上記制御部(１００)は、上記格納状態から上記水平フラップ(２１)と上記補助水平フラップ(２２)が回動動作を開始するとき、上記補助水平フラップ(２２)よりも上記水平フラップ(２１)の回動動作の開始を遅延させることを特徴とする空気調和機。
【請求項９】
請求項１から８までのいずれか１つに記載の空気調和機において、
上記格納状態の上記水平フラップ(２１)が上記ディフューザ(２３)を覆うことを特徴とする空気調和機。
【請求項１０】
請求項１から９までのいずれか１つに記載の空気調和機において、
上記格納状態の上記水平フラップ(２１)の上側に上記ディフューザ(２３)の一部が突出していることを特徴とする空気調和機。
【請求項１１】
請求項１から１０までのいずれか１つに記載の空気調和機において、
上記制御部(１００)は、上記ディフューザ(２３)と上記水平フラップ(２１)を下方に回動した位置から上記格納状態にするとき、上記格納状態に向かって回動する上記ディフューザ(２３)に対して干渉しないように上記水平フラップ(２１)の回動を制御することを特徴とする空気調和機。
【請求項１２】
請求項１から１１までのいずれか１つに記載の空気調和機において、
上記制御部(１００)は、上記ディフューザ(２３)と上記水平フラップ(２１)を下方に回動した位置から上記格納状態にするとき、上記ディフューザ(２３)よりも上記水平フラップ(２１)の全閉状態への回動角速度を遅くすることを特徴とする空気調和機。
【請求項１３】
請求項１から１２までのいずれか１つに記載の空気調和機において、
上記制御部(１００)は、上記ディフューザ(２３)と上記水平フラップ(２１)を下方に回動した位置から上記格納状態にするとき、上記ディフューザ(２３)よりも上記水平フラップ(２１)の全閉状態への回動の開始を遅延させることを特徴とする空気調和機。
【発明の詳細な説明】
【技術分野】
【０００１】
この発明は、空気調和機に関する。
【背景技術】
【０００２】
従来、空気調和機としては、吹出口に配置された水平フラップと、吹出口の水平フラップの下側に配置されたディフューザと、吹出口の水平フラップの上側に配置された補助上下風向板とを備えたものがある(例えば、特開２００７−９３０９２号公報(特許文献１)参照)。この空気調和機では、冷房運転時に、ディフューザと水平フラップと補助上下風向板を共に前方に向けて、冷風を水平方向に吹き出す一方、暖房運転時に、ディフューザと水平フラップと補助上下風向板を共に下方に向けて、温風を下方向に吹き出す。
【０００３】
しかしながら、上記空気調和機では、水平フラップのスイング動作時にディフューザと補助上下風向板が冷房運転中や暖房運転中に同時にスイング動作しないため、吹出空気流が拡散してしまうという問題がある。
【０００４】
そこで、本願出願人は、上記水平フラップと同時にスイング動作する領域を有するディフューザを設けることにより、吹出空気流の拡散を抑制しつつ吹出方向を上下にスイングできる空気調和機を考えた。なお、この空気調和機は、この発明を理解しやすくするために説明するものであって、公知技術ではなく、従来技術ではない。
【０００５】
しかしながら、この空気調和機では、格納状態においてディフューザと水平フラップが風下側の翼端が近接する構成の場合、水平フラップにより吹出口を全閉する全閉位置近傍において、ディフューザと水平フラップが干渉してスムーズに回動させることができないという問題がある。
【特許文献１】特開２００７−９３０９２号公報
【発明の開示】
【発明が解決しようとする課題】
【０００６】
そこで、この発明の課題は、ディフューザと水平フラップとの干渉を防いで、ディフューザと水平フラップをスムーズに回動させることができる空気調和機を提供することにある。
【課題を解決するための手段】
【０００７】
上記課題を解決するため、この発明の空気調和機は、
吹出通路の上側に回動自在に支持され、下面が吹出通路上側の一部を形成するディフューザと、
上記吹出通路の上記ディフューザの下側に回動自在に支持された水平フラップと
上記ディフューザと上記水平フラップを制御する制御部と
を備え、
上記吹出通路の上側の壁面に上記ディフューザの上側翼面がほぼ接した状態で上記水平フラップを全閉にした格納状態において、上記ディフューザの下側翼面と上記水平フラップの上側翼面との間が風下側に向かって徐々に狭くなっており、
上記制御部は、上記ディフューザと上記水平フラップが同時に回動する動作を含む制御を行うとき、互いに干渉しないように上記ディフューザと上記水平フラップを制御することを特徴とする。
この明細書では、ディフューザとは、吹出通路の壁面に設けられ、流路の形状を変更可能にするものであって、フラップ状のものであってもよいし、断面三角柱状のものであってもよい。
【０００８】
上記構成によれば、吹出通路の上側の壁面にディフューザの上側翼面がほぼ接した状態で水平フラップを全閉にした格納状態において、ディフューザの下側翼面と水平フラップの上側翼面との間が風下側に向かって徐々に狭くなっている構成では、水平フラップにより吹出口を全閉する全閉位置近傍でディフューザと水平フラップが干渉しやすい。したがって、ディフューザと水平フラップが同時に回動する動作を含む制御を制御部により行うとき、互いに干渉しないようにディフューザと水平フラップを制御することによって、ディフューザと水平フラップとの干渉を防いで、ディフューザと水平フラップをスムーズに回動させることができる。
【０００９】
また、一実施形態の空気調和機では、
上記制御部は、冷房運転中または暖房運転中の少なくとも一方において、上記ディフューザと上記水平フラップが回動する領域の少なくとも一部で同時にスイング動作するように、上記ディフューザと上記水平フラップを制御する。
【００１０】
上記実施形態によれば、冷房運転中または暖房運転中の少なくとも一方において、ディフューザと水平フラップが回動する領域の少なくとも一部で同時にスイング動作するように、制御部によりディフューザと水平フラップを制御することによって、吹出空気流の拡散を抑制しつつ吹出方向を上下にスムーズにスイングできる。
【００１１】
また、一実施形態の空気調和機では、
上記制御部は、上記格納状態から上記ディフューザと上記水平フラップの回動動作を開始するときに、回動する上記水平フラップに対して干渉しないように上記ディフューザの回動を制御する。
【００１２】
上記実施形態によれば、水平フラップの全閉状態からディフューザと水平フラップの回動動作を開始するときに、スイング動作する水平フラップに対して干渉しないようにディフューザの回動を制御部により制御して、回動する水平フラップに合わせてディフューザの回動を規制することによって、干渉を防止できる。
【００１３】
また、一実施形態の空気調和機では、
上記制御部は、上記格納状態から上記ディフューザと上記水平フラップが回動動作を開始するとき、上記水平フラップよりも上記ディフューザの回動角速度を遅くする。
【００１４】
上記実施形態によれば、上記格納状態からディフューザと水平フラップが回動動作を開始するとき、制御部により水平フラップよりもディフューザの回動角速度を遅くすることによって、回動動作開始時のディフューザと水平フラップの干渉を簡単な制御で防止できる。
【００１５】
また、一実施形態の空気調和機では、
上記制御部は、上記格納状態から上記ディフューザと水平フラップが回動動作を開始するとき、上記水平フラップよりも上記ディフューザの回動動作の開始を遅延させる。
【００１６】
上記実施形態によれば、上記格納状態からディフューザと水平フラップが回動動作を開始するとき、制御部により水平フラップよりもディフューザの回動動作の開始を遅延させることによって、回動動作開始時のディフューザと水平フラップの干渉を簡単な制御で防止できる。
【００１７】
また、一実施形態の空気調和機では、
上記吹出通路の上記水平フラップの下側に回動自在に支持され、上記水平フラップよりも翼長が短くかつ少なくとも一部が上記水平フラップに重なる補助水平フラップを備えた。
【００１８】
上記実施形態によれば、吹出通路の水平フラップの下側に回動自在に支持され、水平フラップよりも翼長が短くかつ少なくとも一部が水平フラップに重なる補助水平フラップにより、水平フラップの下側翼面に沿って流れるように空気が案内されるので、冷房運転時に水平フラップの結露を防止できる。
【００１９】
また、一実施形態の空気調和機では、
上記制御部は、上記格納状態から上記水平フラップと上記補助水平フラップが回動動作を開始するとき、上記補助水平フラップよりも上記水平フラップの回動角速度を遅くする。
【００２０】
上記実施形態によれば、格納状態から水平フラップと補助水平フラップが回動動作を開始するとき、制御部により補助水平フラップよりも水平フラップの回動角速度を遅くすることによって、回動動作開始時の水平フラップと補助水平フラップの干渉を簡単な制御で防止できる。
【００２１】
また、一実施形態の空気調和機では、
上記制御部は、上記格納状態から上記水平フラップと上記補助水平フラップが回動動作を開始するとき、上記補助水平フラップよりも上記水平フラップの回動動作の開始を遅延させる。
【００２２】
上記実施形態によれば、格納状態から水平フラップと補助水平フラップが回動動作を開始するとき、制御部により補助水平フラップよりも水平フラップの回動動作の開始を遅延させることによって、回動動作開始時の水平フラップと補助水平フラップの干渉を簡単な制御で防止できる。
【００２３】
また、一実施形態の空気調和機では、
上記格納状態の上記水平フラップが上記ディフューザを覆う。
【００２４】
上記実施形態によれば、上記格納状態の水平フラップがディフューザを覆うことによって、運転停止したときに水平フラップを全閉状態にしてディフューザを見えないようにして、美観が損なわないようにできる。
【００２５】
また、一実施形態の空気調和機では、
上記格納状態の上記水平フラップの上側に上記ディフューザの一部が突出している。
【００２６】
上記実施形態によれば、上記格納状態の水平フラップの上側にディフューザの一部が突出していることによって、ディフューザの翼長を長くして、暖房運転時の下方向への風向制御の能力を高めることができる。
【００２７】
また、一実施形態の空気調和機では、
上記制御部は、上記ディフューザと上記水平フラップを下方に回動した位置から上記格納状態にするとき、上記格納状態に向かって回動する上記ディフューザに対して干渉しないように上記水平フラップの回動を制御する。
【００２８】
上記実施形態によれば、ディフューザと水平フラップを下方に回動した位置から格納状態にするとき、制御部により格納状態に向かって回動するディフューザに対して干渉しないように水平フラップの回動を制御して、ディフューザの動きに対して水平フラップの回動を規制することによって、全閉時の干渉を防止できる。
【００２９】
また、一実施形態の空気調和機では、
上記制御部は、上記ディフューザと上記水平フラップを下方に回動した位置から上記格納状態にするとき、上記ディフューザよりも上記水平フラップの全閉状態への回動角速度を遅くする。
【００３０】
上記実施形態によれば、ディフューザと水平フラップを下方に回動した位置から格納状態にするとき、制御部によりディフューザよりも水平フラップの全閉状態への回動角速度を遅くすることによって、ディフューザと水平フラップの全閉時の干渉を簡単な制御で防止できる。
【００３１】
また、一実施形態の空気調和機では、
上記制御部は、上記ディフューザと上記水平フラップを下方に回動した位置から上記格納状態にするとき、上記ディフューザよりも上記水平フラップの全閉状態への回動の開始を遅延させる。
【００３２】
上記実施形態によれば、ディフューザと水平フラップを下方に回動した位置から上記格納状態にするとき、制御部によりディフューザよりも水平フラップの全閉状態への回動を遅延させることによって、ディフューザと水平フラップの全閉時の干渉を簡単な制御で防止できる。
【発明の効果】
【００３３】
以上より明らかなように、この発明の空気調和機によれば、ディフューザと水平フラップとの干渉を防いで、ディフューザと水平フラップをスムーズに回動させることができる空気調和機を実現することができる。
【発明を実施するための最良の形態】
【００３４】
以下、この発明の空気調和機を図示の実施の形態により詳細に説明する。
【００３５】
図１はこの発明の実施の一形態の空気調和機の斜め下方から見た斜視図を示しており、図２は図１よりもさらに斜め下方から見た上記空気調和機の斜視図を示している。この空気調和機は、室内の壁面に取り付けられる壁掛け型であるが、他の形態の空気調和機でもよい。
【００３６】
上記空気調和機は、図１,図２に示すように、底フレーム１１の前面側に取り外し自在に取り付けられた前面グリル１２と、上記前面グリル１２の前面側に取り外し自在に取り付けられた前面パネル１３とを備えている。上記底フレーム１１と前面グリル１２と前面パネル１３でケーシング１０を構成している。
【００３７】
上記ケーシング１０の下側前方に設けられた横長の長方形状の吹出口２０に、吹出口２０をほぼ覆うことが可能な翼長を有する第１水平フラップ２１を回動自在に支持している。また、上記ケーシング１０の吹出口２０かつ第１水平フラップ２１の下側に、第１水平フラップ２１よりも翼長が短くかつ少なくとも一部が第１水平フラップ２１に重なる補助水平フラップの一例としての第２水平フラップ２２を回動自在に支持している。さらに、送風ファン３２(図４に示す)から吹出口２０までの吹出通路３３の上側に、ディフューザ２３を回動自在に支持している。ここで、「翼長」とは、風の流れ方向の翼の距離である。
【００３８】
図１,図２では、上記第１,第２水平フラップ２１,２２とディフューザ２３をすべて下方に回動させて、吹き出し気流を下方に向けた暖房運転時の状態を示している。
【００３９】
また、図３は上記空気調和機の正面図を示し、図４は図３のIV−IV線から見た断面図を示している。図３では、第１,第２水平フラップ２１,２２とディフューザ２３のうちの第１水平フラップ２１,ディフューザ２３が見え、第２水平フラップ２２は第１水平フラップ２１に隠れて見えない。
【００４０】
図４に示すように、ケーシング１０内かつ底フレーム１１の前面側に、断面くの字形状の室内熱交換器３１を配置すると共に、上記室内熱交換器３１の下側に送風ファン３２を配置している。上記送風ファン３２は、回転軸が水平方向になるように配置されたクロスフローファンである。上記送風ファン３２から吹出口２０までの間に吹出通路３３が形成されている。
【００４１】
また、上記ケーシング１０の吹出口２０の略中央に設けられた１つの支持アーム２４により、第１水平フラップ２１と第２水平フラップ２２とを回転自在に支持している。上記吹出口２０の下縁と第２水平フラップ２２との間に風通路３４を設けている。また、吹出口２０かつ第１水平フラップ２１の上側にディフューザ２３を回転自在に支持している。上記第１水平フラップ２１と第２水平フラップ２２とディフューザ２３を上下方向に回動することにより吹出空気の風向を上下に制御する。
【００４２】
さらに、上記ケーシング１０の吹出口２０に、複数の垂直フラップ２５を左右方向に所定の間隔をあけて配列している。上記複数の垂直フラップ２５が駆動アーム(図示せず)を介して連結され、駆動アームのスライド移動に応じて複数の垂直フラップ２５が左右方向に回動することにより、吹出空気の風向を左右に制御する。
【００４３】
上記空気調和機において、送風ファン３２をファンモータ(図示せず)により駆動すると、前面グリル１２の上面側の吸込口１２aと前面パネル１３の上端側の吸込口１３aを介して室内の空気を吸い込む。そうして、吸い込まれた室内空気は、室内熱交換器３１を通過して熱交換された後、送風ファン３２により吹出通路３３を経て吹出口２０から室内に吹き出す。
【００４４】
図５は上記空気調和機の第１,第２水平フラップ２１,２２とディフューザ２３の分解斜視図を示している。
【００４５】
図５に示すように、第１水平フラップ２１は、水平方向が長い長方形状をしている。図５において、第１水平フラップ２１の下側の辺が風上側の翼端であり、上側の辺が風下側の翼端である。上記第１水平フラップ２１の回動中心は、風上側が翼端(図５の下側)よりも上側かつその翼端と略平行に設定されている。上記第１水平フラップ２１は、その回動中心に沿って、略中央に設けられた中央軸部４１と、左側に設けられた左軸部４２と、右側に設けられた右側軸受部４３とを備えている。また、上記第１水平フラップ２１の中央軸部４１よりも左側に、風上側が開口する略矩形の支持アーム干渉防止用切り欠き部２１aが設けられている。上記第１水平フラップ２１の中央軸部４１よりも右側に、支持アーム干渉防止用切り欠き部２１aよりも小さくかつ支持アーム干渉防止用切り欠き部２１aと連続する略矩形の第２水平フラップ干渉防止用切り欠き部２１bが設けられている。上記第１水平フラップ２１の左軸部４２近傍に略矩形の第２水平フラップ干渉防止用切り欠き部２１cが設けられ、第１水平フラップ２１の右側軸受部４３近傍に略矩形の第２水平フラップ干渉防止用切り欠き部２１dが設けられている。
【００４６】
上記第１水平フラップ２１は、吹出口２０の右側面に設けられた駆動軸(図示せず)が回転することにより、上下方向に回動する。
【００４７】
また、第２水平フラップ２２は、水平方向が長い長方形状をしている。図５において、第２水平フラップ２２の下側の辺が風上側の翼端であり、上側の辺が風下側の翼端である。上記第２水平フラップ２２の回動中心は、風上側の翼端(図５の下側)近傍かつその翼端に沿った直線と略平行に設定されている。上記第２水平フラップ２２は、その回動中心に沿って、略中央に設けられた中央軸部５１と、左側に設けられた左軸部５２と、右側に設けられた右側軸受部５３とを備えている。
【００４８】
上記第２水平フラップ２２は、吹出口２０の右側面に設けられた駆動軸(図示せず)が回転することにより、上下方向に回動する。
【００４９】
また、図５に示すように、ディフューザ２３は、その回動中心に沿って、略中央に設けられた中央軸部６１と、左側に設けられた左軸部６２と、右側に設けられた右側軸受部６３とを備えている。
【００５０】
上記ディフューザ２３は、吹出口２０の右側面に設けられた駆動軸(図示せず)が回転することにより、上下方向に回動する。
【００５１】
図６は上記空気調和機の運転停止状態(吹出口２０を閉じた状態)の断面図を示している。
【００５２】
図６に示すように、第１水平フラップ２１は、吹出口２０をほぼ覆うことが可能な翼長を有し、第２水平フラップ２２は、第１水平フラップ２１よりも翼長が短い。そして、送風ファン３２を停止して第１水平フラップ２１と第２水平フラップ２２で吹出口２０を塞いだ全閉状態で第２水平フラップ２２は、風上側の一部を除いて第１水平フラップ２１に重なっている。この第２水平フラップ２２は、第１水平フラップ２１の風上側の翼部分と重なり、第２水平フラップ２２の下側翼面と第１水平フラップ２１の風下側の翼部分の下側翼面が段差なく連なるようになっている。
【００５３】
また、図６において、ディフューザ２３は、吹出通路３３の上側の壁面に上側翼面がほぼ接する状態となっており、この状態をディフューザ２３の全閉状態とする。
【００５４】
図７は上記空気調和機の冷房運転時の断面図を示している。
【００５５】
図７に示すように、冷房運転時は、第１水平フラップ２１と第２水平フラップ２２を略水平になるように回動させて、第１水平フラップ２１の翼面に対して第２水平フラップ２２の翼面が略平行になるようにしている。このとき、第２水平フラップ２２の風上側の一部を除いて第１水平フラップ２１に間隔をあけて重なるようにしている。上記空気調和機では、第１水平フラップ２１と第２水平フラップ２２により、送風ファン３２からの冷風を吹出通路３３を介して吹出口２０から略水平方向に吹き出す。
【００５６】
また、図７において、ディフューザ２３は、吹出通路３３の上側の壁面に上側翼面がほぼ接する状態となっている。
【００５７】
このとき、吹出通路３３の上側の壁面にある突起３５を、ディフューザ２３の突起３５に対応する位置に設けられた凹部２３aにより覆って、突起３５により吹出通路３３内の気流が乱れるのを抑制している。
【００５８】
なお、図７では、ディフューザ２３を、吹出通路３３の上側の壁面に上側翼面がほぼ接する状態にしたが、第１,第２水平フラップ２１,２２は同じ状態でディフューザ２３を下方に回動させて、ディフューザ２３の下面と第１水平フラップ２１上側翼面が下流に向かって徐々に狭くなるようにしてもよい。これにより、吹出気流の速度が速くなって冷気がより遠いところまで到達するようにできる。
【００５９】
一方、図８は上記空気調和機の暖房運転時のディフューザ２３を下げた状態の断面図を示している。
【００６０】
図８に示すように、暖房運転時は、第１水平フラップ２１と第２水平フラップ２２を斜め下方に傾くように回動させて、第１水平フラップ２１の翼面に対して第２水平フラップ２２の翼面が略平行になるようにしている。このとき、第２水平フラップ２２は第１水平フラップ２１に間隔をあけて重なっている。
【００６１】
そして、ディフューザ２３は、斜め下方に傾くように回動して、吹出通路３３の上側を流れる空気流をディフューザ２３により下方に向けるので、吹出口２０からの暖かい空気が上方に流れることなく、足元に効果的に温風を吹き出すことができる。このとき、突起３５は、ディフューザ２３の凹部２３aにより遮蔽されて気流に影響しない。
【００６２】
図９は上記空気調和機の要部のブロック図を示している。この空気調和機は、図９に示すように、マイクロコンピュータと入出力回路などからなる制御部１００を備えている。また、上記空気調和機は、ディフューザ２３を駆動するディフューザ駆動モータ１０１と、第１水平フラップ２１を駆動する第１水平フラップ駆動モータ１０２と、第２水平フラップ２２を駆動する第２水平フラップ駆動モータ１０３と、室内温度を検出する温度センサ１０４と、送風ファン３２(図４に示す)を駆動するファンモータ１０５と、運転状態などを表示する表示部１０６を備えている。上記ディフューザ駆動モータ１０１,第１水平フラップ駆動モータ１０２,第２水平フラップ駆動モータ１０３にステッピングモータを用いている。
【００６３】
上記制御部１００は、温度センサ１０４により検出された室内温度などに基づいて、ディフューザ駆動モータ１０１,第１水平フラップ駆動モータ１０２,第２水平フラップ駆動モータ１０３,ファンモータ１０５および表示部１０６などを制御する。
【００６４】
上記制御部１００は、ディフューザ駆動モータ１０１,第１水平フラップ駆動モータ１０２,第２水平フラップ駆動モータ１０３を制御して、冷房運転や暖房運転などの運転モードに応じたスイング範囲でディフューザ２３と第１,第２水平フラップ２１,２２を同時にスイング動作させる。
【００６５】
図１０は上記空気調和機の冷房運転時のスイング動作を示しており、図１０(a)は第１水平フラップ２１がスイング動作の領域Ｓ１の上死点Ｐ１にあるときの状態を示し、図１０(b)は第１水平フラップ２１がスイング動作の領域Ｓ１の最大風量位置Ｐ３にあるときの状態を示し、図１０(c)は第１水平フラップ２１がスイング動作の領域Ｓ１の下死点Ｐ２にあるときの状態を示している。
【００６６】
図１０(a)〜(c)に示すように、第１水平フラップ２１のスイング動作に合わせて、第２水平フラップ２２が領域Ｓ２の範囲でスイング動作すると共に、第１水平フラップ２１のスイング動作に合わせて、ディフューザ２３が領域Ｓ３の範囲でスイング動作する。
【００６７】
図１０(a)において、第１水平フラップ２１がスイング動作の領域Ｓ１の上死点Ｐ１にあるとき、ディフューザ２３は、吹出通路３３の上側の壁面に上側翼面がほぼ接する全閉状態となっている。
【００６８】
図１０(a)の上死点Ｐ１から下方に第１水平フラップ２１が回動を始めると、第２水平フラップ２２も同様に上死点から下方に回動を始める。
【００６９】
そして、第１水平フラップ２１が図１０(b)に示す最大風量位置Ｐ３(吹出通路３３内の吹出空気流に対する第１水平フラップ２１の空気抵抗が略最小となる回動位置)を通過した時点で、ディフューザ２３が下方に回動を始める。
【００７０】
次に、図１０(a)の第１水平フラップ２１が最大風量位置Ｐ３から下死点Ｐ２まで回動するとき、第１水平フラップ２１の翼面と対向する翼面が略平行になるように第２水平フラップ２２が回動すると共に、第１水平フラップ２１の翼面と対向する下側翼面が略平行になるようにディフューザ２３が回動する。
【００７１】
また、図１１は上記空気調和機の暖房運転時のスイング動作を示しており、図１１(a)は第１水平フラップ２１がスイング動作の領域Ｓ１１の上死点Ｐ１１にあるときの状態を示し、図１１(b)は第１水平フラップ２１がスイング動作の領域Ｓ１１の最大風量位置Ｐ１３にあるときの状態を示し、図１１(c)は第１水平フラップ２１がスイング動作の領域Ｓ１１の下死点Ｐ１２にあるときの状態を示している。
【００７２】
図１１(a)〜(c)に示すように、第１水平フラップ２１のスイング動作に合わせて、第２水平フラップ２２が領域Ｓ１２の範囲でスイング動作すると共に、第１水平フラップ２１のスイング動作に合わせて、ディフューザ２３が領域Ｓ１３の範囲でスイング動作する。
【００７３】
図１１(a)において、第１水平フラップ２１がスイング動作の領域Ｓ１１の上死点Ｐ１１にあるとき、ディフューザ２３は、吹出通路３３の上側の壁面に上側翼面がほぼ接する全閉状態となっている。
【００７４】
図１１(a)の上死点Ｐ１１から下方に第１水平フラップ２１が回動を始めると、第２水平フラップ２２も同様に上死点から下方に回動を始める。
【００７５】
そして、第１水平フラップ２１が図１１(b)に示す最大風量位置Ｐ１３(図１０のＰ３と同じ位置)を通過した時点で、ディフューザ２３が下方に回動を始める。
【００７６】
次に、図１１(a)の第１水平フラップ２１が最大風量位置Ｐ１３から下死点Ｐ１２まで回動するとき、第１水平フラップ２１の翼面と対向する翼面が略平行になるように第２水平フラップ２２が回動すると共に、第１水平フラップ２１の翼面と対向する下側翼面が略平行になるようにディフューザ２３が回動する。
【００７７】
このように、図１０の冷房運転時と 図１１の暖房運転のスイング動作において、第１水平フラップ２１が回動する上死点Ｐ１１から最大風量位置Ｐ１３の領域では、ディフューザ２３は、吹出通路３３の上側の壁面に上側翼面がほぼ接する全閉状態となっている。
【００７８】
なお、第１水平フラップ２１のスイング動作の範囲は、図１０の冷房運転時と 図１１の暖房運転時の領域Ｓ１,Ｓ１１に限らず、運転状況や運転モードに応じて適宜設定される。
【００７９】
次に、図１２(a)〜(c)はディフューザ２３と第１,第２水平フラップ２１,２２のスイング動作開始時のタイミング図を示している。
【００８０】
ここで、ディフューザ２３の全閉位置は、吹出通路３３の上側の壁面に上側翼面がほぼ接する位置であり、ディフューザ２３の全開位置は、図１１の領域Ｓ１３の下死点よりもさらに下方に回動して、ディフューザ２３が構造物(図示せず)に当たって停止する位置である。
【００８１】
また、第１水平フラップ２１の全閉位置は、図６に示すように、吹出口２０を覆って第１水平フラップ２１が構造物(例えば吹出口２０の上側の前面パネル)に当たって停止する位置であり、第１水平フラップ２１の全開位置は、図１１の領域Ｓ１１の下死点Ｐ１２よりもさらに下方に回動して、第１水平フラップ２１が構造物(図示せず)に当たって停止する位置である。
【００８２】
また、第２水平フラップ２２の全閉位置は、図６に示すように、第２水平フラップ２２が構造物(全閉状態の第１水平フラップ２１)に当たって停止する位置であり、第２水平フラップ２２の全開位置は、図１１の領域Ｓ１２の下死点よりもさらに下方に回動して、第２水平フラップ２２が構造物(図示せず)に当たって停止する位置である。
【００８３】
図１２(a)〜(c)に示すように、例えば、ディフューザ２３が全閉状態で第１,第２水平フラップ２１,２２が所定の回動位置で停止した状態で冷房運転中に、スイング動作の指令をリモートコントローラ(図示せず)などから受けて、スイング動作を開始する(時間ｔ１)。
【００８４】
そして、スイング動作を開始すると、まず、第１,第２水平フラップ２１,２２だけが下方に回動して、第１水平フラップ２１が最大風量位置を通過する時点(時間ｔ２)でディフューザ２３も下方に回動して、ディフューザ２３と第１,第２水平フラップ２１,２２の夫々がスイング下限の位置(下死点)となって所定時間回動を停止する(時間ｔ３〜ｔ４)。
【００８５】
ここで、時間ｔ２〜ｔ３の間のディフューザ２３の回動角速度は、第１水平フラップ２１が下死点に到達する時間(ｔ３-ｔ２)に基づいて、第１水平フラップ２１と同時にディフューザ２３が下死点に到達するように設定される。
【００８６】
次に、ディフューザ２３と第１,第２水平フラップ２１,２２の上方への回動を同時に開始し(時間ｔ４)、第１水平フラップ２１が最大風量位置を通過する時点(時間ｔ５)でディフューザ２３が全閉状態となって回動を停止する。
【００８７】
ここで、時間ｔ４〜ｔ５の間のディフューザ２３の回動角速度は、第１水平フラップ２１が最大風量位置に到達する時間(ｔ５-ｔ４)に基づいて、第１水平フラップ２１が最大風量位置に到達するときにディフューザ２３が全閉位置に到達するように設定される。
【００８８】
そして、ディフューザ２３が全閉状態のまま、第１,第２水平フラップ２１,２２が上方に回動してスイング上限の位置(上死点)となって(時間ｔ６)、ディフューザ２３と共に所定時間回動を停止する(時間ｔ６〜ｔ７)。
【００８９】
次に、ディフューザ２３が全閉状態のまま、第１,第２水平フラップ２１,２２だけが下方に回動し始めて(時間ｔ７)、第１水平フラップ２１が最大風量位置を通過する時点(時間ｔ８)でディフューザ２３も下方に回動し始め、ディフューザ２３と第１,第２水平フラップ２１,２２の夫々がスイング下限の位置(下死点)となって所定時間回動を停止する。
【００９０】
以下、同様にしてスイング動作を繰り返す。
【００９１】
次に、図１３(a)〜(c)はディフューザ２３と第１,第２水平フラップ２１,２２の全閉状態からスイング動作開始時のタイミング図を示している。
【００９２】
図１３(a)〜(c)に示すように、ディフューザ２３と第１,第２水平フラップ２１,２２が全閉状態で停止した状態で、例えば冷房運転指令とスイング動作の指令をリモートコントローラ(図示せず)などから受けて、スイング動作を開始すると、ディフューザ２３と第１,第２水平フラップ２１,２２が同時に下方に回動し始める(時間ｔ１１)。ここで、第１,第２水平フラップ２１,２２の回動角速度を高速とし、その第１,第２水平フラップ２１,２２よりもディフューザ２３の回動角速度を低速にしている。これにより、全開動作時にディフューザ２３と第１水平フラップ２１とが互いに干渉しないようにしている。
【００９３】
そして、ディフューザ２３と第１,第２水平フラップ２１,２２の夫々が全開位置に達して、所定量の増し締めを行って原点出しを行う(図１３(a)〜(c)の点線部)。このとき、ディフューザ駆動モータ１０１,第１水平フラップ駆動モータ１０２,第２水平フラップ駆動モータ１０３に所定量のパルスを二相励磁で印加して、略２倍のトルクでディフューザ２３と第１,第２水平フラップ２１,２２を駆動することにより、原点位置を確実にする。
【００９４】
上記ディフューザ２３の下方への回動開始(時間ｔ１１)から増し締めが終わるまでの間がディフューザ２３の全開処理期間Ａであり、第１水平フラップ２１の下方への回動開始(時間ｔ１１)から増し締めが終わるまでの間が第１水平フラップ２１の全開処理期間Ｂであり、第２水平フラップ２２の下方への回動開始(時間ｔ１１)から増し締めが終わるまでの間が第２水平フラップ２２の全開処理期間Ｃである。
【００９５】
次に、ディフューザ２３と第１,第２水平フラップ２１,２２の上方への回動を同時に開始し(時間ｔ１２)、ディフューザ２３と第１水平フラップ２１が夫々のスイング動作の下死点に達した時点で前処理は終了して、スイング動作が始まる(時間ｔ１３)。
【００９６】
そして、第１,第２水平フラップ２１,２２が夫々のスイング動作の上死点で所定時間停止する。このとき、ディフューザ２３が全閉状態となって回動を停止している。
【００９７】
次に、ディフューザ２３が全閉状態のまま、第１,第２水平フラップ２１,２２だけが下方に回動して(時間ｔ１４)、第１水平フラップ２１が最大風量位置を通過する時点(時間ｔ１５)でディフューザ２３も下方に回動し始める。ここで、第１,第２水平フラップ２１,２２の回動角速度を前処理のときよりも低速としている(以下のスイング動作も同様)。
【００９８】
そして、ディフューザ２３と第１,第２水平フラップ２１,２２の夫々がスイング下限の位置(下死点)となって(時間ｔ１６)、所定時間回動を停止する。
【００９９】
次に、ディフューザ２３と第１,第２水平フラップ２１,２２が同時に上方に回動し始め(時間ｔ１７)、第１水平フラップ２１が最大風量位置を通過する時点(時間ｔ１８)でディフューザ２３が全閉状態となって回動を停止する。
【０１００】
以下、同様にしてスイング動作を繰り返す。
【０１０１】
次に、図１４(a)〜(c)はディフューザ２３と第１,第２水平フラップ２１,２２のスイング動作を停止して全閉状態にするときのタイミング図を示している。
【０１０２】
図１４(a)〜(c)に示すように、ディフューザ２３と第１,第２水平フラップ２１,２２のスイング動作中に、例えば運転停止指令をリモートコントローラ(図示せず)などから受けて、運転停止処理を開始すると(時間ｔ２１)、ディフューザ２３と第１,第２水平フラップ２１,２２の回動を所定時間停止する。
【０１０３】
そして、ディフューザ２３と第１,第２水平フラップ２１,２２が同時に下方に回動し始める(時間ｔ２２)。ここで、第１,第２水平フラップ２１,２２の回動角速度を高速とし、その第１,第２水平フラップ２１,２２よりもディフューザ２３の回動角速度を低速にしている。これにより、全開動作時にディフューザ２３と第１水平フラップ２１とが互いに干渉しないようにしている。
【０１０４】
そして、ディフューザ２３と第１,第２水平フラップ２１,２２の夫々が全開位置に達して、所定量の増し締めを行って原点出しを行う(図１４(a)〜(c)の点線部)。
【０１０５】
上記ディフューザ２３の下方への回動開始(時間ｔ１１)から増し締めが終わるまでの間がディフューザ２３の全開処理期間Ａ１であり、第１水平フラップ２１の下方への回動開始(時間ｔ１１)から増し締めが終わるまでの間が第１水平フラップ２１の全開処理期間Ｂ１であり、第２水平フラップ２２の下方への回動開始(時間ｔ１１)から増し締めが終わるまでの間が第２水平フラップ２２の全開処理期間Ｃ１である。
【０１０６】
次に、ディフューザ２３と第１,第２水平フラップ２１,２２の増し締めが終わると、ディフューザ２３と第１,第２水平フラップ２１,２２が同時に上方に回動を開始する。ここで、第１,第２水平フラップ２１,２２の回動角速度を高速とし、その第１,第２水平フラップ２１,２２よりもディフューザ２３の回動角速度をさらに高速にしている。これにより、全閉動作時にディフューザ２３と第１水平フラップ２１とが互いに干渉しないようにしている。
【０１０７】
そして、ディフューザ２３と第１,第２水平フラップ２１,２２の夫々が全閉位置に達して、所定量の増し締めを行う(図１４(a)〜(c)の点線部)。このとき、ディフューザ駆動モータ１０１,第１水平フラップ駆動モータ１０２,第２水平フラップ駆動モータ１０３に所定量のパルスを二相励磁で印加して、略２倍のトルクでディフューザ２３と第１,第２水平フラップ２１,２２を駆動することにより、全閉位置を確実にする。
【０１０８】
上記ディフューザ２３の上方への回動開始(時間ｔ２３)から増し締めが終わるまでの間がディフューザ２３の全閉処理期間Ａ２であり、第１水平フラップ２１の上方への回動開始(時間ｔ２３)から増し締めが終わるまでの間が第１水平フラップ２１の全閉処理期間Ｂ２であり、第２水平フラップ２２の上方への回動開始(時間ｔ２３)から増し締めが終わるまでの間が第２水平フラップ２２の全閉処理期間Ｃ２である。
【０１０９】
そして、第１水平フラップ２１の増し締めが終了した時点(時間ｔ２４)で停止制御が終了し、全閉状態となる。
【０１１０】
上記空気調和機によれば、吹出通路３３の上側の壁面にディフューザ２３の上側翼面がほぼ接した状態で第１水平フラップ２１を全閉にした格納状態において、ディフューザ２３の下側翼面と第１水平フラップ２１の上側翼面との間が風下側に向かって徐々に狭くなっているディフューザ２３と第１水平フラップ２１が同時に回動する動作を含む制御を制御部１００が行うとき、互いに干渉しないようにディフューザ２３と第１水平フラップ２１を制御することによって、ディフューザ２３と第１水平フラップ２１との干渉を防いで、ディフューザ２３と第１水平フラップ２１をスムーズに回動させることができる。
【０１１１】
また、冷房運転中に吹出空気流を前方に向けて、ディフューザ２３と第１水平フラップ２１が同時にスイング動作することによって、前方の室内の広い空間に冷気を送ることができると共に、暖房運転中に吹出空気流を下方に向けて、ディフューザ２３と第１水平フラップ２１が同時にスイング動作することによって、室内の床面近傍の広い空間に暖気を送ることができる。
【０１１２】
また、冷房運転中または暖房運転中の少なくとも一方において、ディフューザ２３と第１水平フラップ２１が回動する領域の少なくとも一部で同時にスイング動作するように、制御部１００によりディフューザ２３と第１水平フラップ２１を制御することによって、吹出空気流の拡散を抑制しつつ吹出方向を上下にスムーズにスイングできる。
【０１１３】
また、第１水平フラップ２１の全閉状態からディフューザ２３と第１水平フラップ２１のスイング動作を開始するときに、スイング動作する第１水平フラップ２１に対して干渉しないようにディフューザ２３の回動を制御部１００により制御して、スイング動作する第１水平フラップ２１に合わせてディフューザ２３の回動を規制することによって、干渉を防止することができる。
【０１１４】
また、第１水平フラップ２１の全閉状態からディフューザ２３と第１水平フラップ２１がスイング動作を開始するとき、制御部１００により第１水平フラップ２１よりもディフューザ２３の回動角速度を遅くすることによって、スイング動作開始時のディフューザ２３と第１水平フラップ２１の干渉を簡単な制御で防止することができる。
【０１１５】
なお、第１水平フラップ２１の全閉状態からディフューザ２３と第１水平フラップ２１がスイング動作を開始するとき、制御部１００により第１水平フラップ２１よりもディフューザ２３のスイング動作の開始を遅延させてもよい。この場合、スイング動作開始時のディフューザ２３と第１水平フラップ２１の干渉を簡単な制御で防止することができる。
【０１１６】
また、吹出通路３３の第１水平フラップ２１の下側に回動自在に支持され、第１水平フラップ２１よりも翼長が短くかつ少なくとも一部が第１水平フラップ２１に重なる第２の第１水平フラップ２１により、第１水平フラップ２１の下側翼面に沿って流れるように空気が案内されるので、冷房運転時に第１水平フラップ２１の結露を防止することができる。
【０１１７】
また、格納状態から第１水平フラップ２１と第２水平フラップ２２が回動動作を開始するとき、制御部１００により第２水平フラップ２２よりも第１水平フラップ２１の回動角速度を遅くしてもよい。そうすることによって、回動動作開始時の第１水平フラップ２１と第２水平フラップ２２の干渉を簡単な制御で防止することができる。
【０１１８】
また、格納状態から第１水平フラップ２１と第２水平フラップ２２が回動動作を開始するとき、制御部１００により第２水平フラップ２２よりも第１水平フラップ２１の回動動作の開始を遅延させてもよい。そうことによって、回動動作開始時の第１水平フラップ２１と第２水平フラップ２２の干渉を簡単な制御で防止することができる。
【０１１９】
また、全閉状態の第１水平フラップ２１がディフューザ２３を覆うことによって、運転停止したときに第１水平フラップ２１を全閉状態にしてディフューザ２３を見えないようにして、美観が損なわないようにできる。
【０１２０】
なお、全閉状態の第１水平フラップ２１の上側にディフューザ２３の一部が突出してもよく。それにより、ディフューザ２３の翼長を長くして、暖房運転時の下方向への風向制御の能力を高めることができる。
【０１２１】
また、ディフューザ２３と第１水平フラップ２１を下方に回動した位置から格納状態にするとき、制御部１００により全閉状態に向かって回動するディフューザ２３に対して干渉しないように第１水平フラップ２１の回動を制御して、ディフューザ２３の動きに対して第１水平フラップ２１の回動を規制することによって、全閉時の干渉を防止することができる。
【０１２２】
また、ディフューザ２３と第１水平フラップ２１を下方に回動した位置から格納状態にするとき、制御部１００によりディフューザ２３よりも第１水平フラップ２１の全閉状態への回動角速度を遅くすることによって、ディフューザ２３と第１水平フラップ２１の全閉時の干渉を簡単な制御で防止することができる。
【０１２３】
なお、ディフューザ２３と第１水平フラップ２１を下方に回動した位置から格納状態にするとき、制御部１００によりディフューザ２３よりも第１水平フラップ２１の全閉状態への回動を遅延させてもよい。この場合、ディフューザ２３と第１水平フラップ２１の全閉時の干渉を簡単な制御で防止することができる。
【０１２４】
また、スイング動作において第１水平フラップ２１がスイング動作の下死点から上方に回動するとき、ディフューザ２３が吹出通路３３の上面に沿った状態になって第１水平フラップ２１よりも先に回動を停止することによって、吹出通路３３の形状に合わせて、第１水平フラップ２１に連動したディフューザ２３のスイング動作を違和感なく行うことができる。
【０１２５】
また、スイング動作において第１水平フラップ２１がスイング動作の上死点から下方に回動するとき、吹出通路３３の上面に沿った状態のディフューザ２３が第１水平フラップ２１よりも遅れて下方に回動し始めるようにしてもよい。これによって、吹出通路３３の形状に合わせて、第１水平フラップ２１に連動したディフューザ２３のスイング動作を違和感なく行うことができる。
【０１２６】
また、吹出通路３３内の吹出空気流に対する第１水平フラップ２１の空気抵抗が略最小となる回動位置(最大風量位置)に第１水平フラップ２１があるときに、吹出通路３３の上面に沿った状態でディフューザ２３を停止することによって、吹出通路３３内のディフューザ２３による抵抗損失を少なくして、最大風量で吹き出すことができる。
【０１２７】
また、スイング動作する領域の少なくとも一部で、ディフューザ２３の下面と第１水平フラップ２１の翼面を略並行になるようにしてスイング動作させることにより、吹出空気流の拡散を確実に抑制することができる。
【０１２８】
また、ディフューザ２３と第１水平フラップ２１が同時にスイング動作する領域以外の領域において、制御部１００により下方に回動するときは第１水平フラップ２１よりもディフューザ２３の回動角速度を遅くする一方、上方に回動するときはディフューザ２３よりも第１水平フラップ２１の回動速度を遅くすることにより、ディフューザ２３と第１水平フラップ２１が互いに干渉しないようにする。これにより、異音の発生や見た目の違和感がなくなると共に、故障を防止できる。
【０１２９】
なお、ディフューザ２３と第１水平フラップ２１が同時にスイング動作する領域以外の領域において、制御部１００により上死点から下方に回動するときは第１水平フラップ２１よりもディフューザ２３の回動開始を遅くすることにより、ディフューザ２３と第１水平フラップ２１が互いに干渉しないようにしてもよい。これにより、異音の発生や見た目の違和感がなくなると共に、故障を防止できる。
【０１３０】
また、上記空気調和機では、第１水平フラップ２１の翼面に対して第２水平フラップ２２の翼面が略平行な状態において、第２水平フラップ２２の少なくとも一部が第１水平フラップ２１に間隔をあけて重なるようにすることによって、第２水平フラップ２２により第１水平フラップ２１の下側翼面に沿って流れるように空気が案内されるので、冷房運転時に第１水平フラップ２１の結露を防止できる。
【０１３１】
また、冷房運転時、第２水平フラップ２２により第１水平フラップ２１の下側翼面に沿って吹出空気を案内することによって、冷房運転時の第１水平フラップ２１の下側翼面の結露を確実に防ぐことができる。
【０１３２】
また、上記吹出口２０の下縁と第２水平フラップ２２との間に風通路３４を設けることによって、冷房運転時に第２水平フラップ２２の下側翼面に風通路３４から吹き出した冷風が流れるので、第２水平フラップ２２の下側翼面の結露を防止することができる。
【０１３３】
また、上記吹出口２０の略中央に設けられた１つの支持アーム２４に、第１水平フラップ２１,第２水平フラップ２２の中央軸部４１,５１を支持する支点が、吹出口２０の略縦方向に間隔をあけて設けられた構成において、第１水平フラップ２１の中央軸部４１近傍に支持アーム干渉防止用切り欠き部２１aを設けて、第１水平フラップ２１に支持アーム２４が干渉しないようにすることによって、第１水平フラップ２１の回動範囲を大きくすることができる。
【０１３４】
なお、上記実施の形態では、第１水平フラップ２１,第２水平フラップ２２の略中央に中央軸部４１,５１を設けたが、中央軸部の代わりに中央軸受部であってもよい。この場合、支持アーム側は、第１,第２水平フラップの中央軸受部に挿入される軸部を有する。
【０１３５】
また、送風ファン３２を停止した状態で第１水平フラップ２１と第２水平フラップ２２により吹出口２０を塞ぐとき、第１水平フラップ２１の支持アーム干渉防止用切り欠き部２１aを第２水平フラップ２２により覆うことによって、運転停止時の美観を損なうことがなく、支持アーム干渉防止用切り欠き部２１aからの埃などの侵入を防ぐことができる。
【０１３６】
また、ケーシング１０の吹出口２０かつ第１水平フラップ２１の上側に回動自在に支持されたディフューザ２３を備えることによって、暖房運転時に送風ファン３２から吹出口２０までの吹出通路３３の上側を流れる空気流を下方に向けることができ、吹出口２０からの暖かい空気が上方に流れることがなく、足元に効果的に温風を吹き出すことができる。なお、この実施の形態では、第１,第２水平フラップ２１,２２とディフューザ２３を備えた空気調和機について説明したが、空気調和機の吹出口等の構造によっては第２水平フラップはなくともよい。
【０１３７】
また、冷房運転時、第２水平フラップ２２により第１水平フラップ２１の下側翼面に沿って吹出空気を案内して、第１水平フラップ２１の下側翼面の先端まで吹出空気が沿うように流れることによって、冷房運転時に第１水平フラップ２１の下側翼面の結露を防止できる。
【０１３８】
また、第１水平フラップ２１の下側翼面に長手方向に沿って複数の溝を設けて凹凸を形成することによって、第１水平フラップ２１の下側翼面に例え結露が生じても、凹凸により結露水を保持することができ、水飛びを防止できる。
【０１３９】
また、第２水平フラップ２２の下側翼面に長手方向に沿って複数の溝を設けて凹凸を形成することによって、第２水平フラップ２２の下側翼面に例え結露が生じても、凹凸により結露水を保持することができ、水飛びを防止できる。
【０１４０】
また、図５に示すように、第１水平フラップ２１の両端と中央に第２水平フラップ干渉防止用切り欠き部２１b,２１c,２１dを設けて、第２水平フラップ２２に第１水平フラップ２１が干渉しないようにすることによって、第１水平フラップ２１を吹出口２０に取り付けた状態で第２水平フラップ２２を取り付けたり取り外したりすることが容易にでき、作業性がより向上する。
【０１４１】
また、上記第１水平フラップ２１の中央軸部４１近傍に支持アーム干渉防止用切り欠き部２１aを設けて、第１水平フラップ２１に支持アーム２４が干渉しないようにすることによって、第１水平フラップ２１の回動範囲を大きくすることができる。
【０１４２】
また、上記実施の形態では、第１水平フラップ２１およびディフューザ２３は、上流側の翼端を回動自在に支持したが、これに限らず、水平フラップまたはディフューザの少なくとも一方を、下流側の翼端で回動自在に支持してもよいし、翼長の中間部で回動自在に支持してもよい。
【０１４３】
また、上記実施の形態では、フラップ状のディフューザ２３を用いた空気調和機について説明したが、下面が吹出通路上側の一部を形成するディフューザの上面に漏れる気流を最小にするように、断面三角柱状のディフューザを用いてもよい。
【０１４４】
この発明の具体的な実施の形態について説明したが、この発明は上記実施の形態に限定されるものではなく、この発明の範囲内で種々変更して実施することができる。
【図面の簡単な説明】
【０１４５】
【図１】図１はこの発明の実施の一形態の空気調和機の斜め下方から見た斜視図である。
【図２】図２は図１よりもさらに斜め下方から見た上記空気調和機の斜視図である。
【図３】図３は上記空気調和機の正面図である。
【図４】図４は図３のIV−IV線から見た上記空気調和機の断面図である。
【図５】図５は上記空気調和機のディフューザと第１,第２水平フラップの分解斜視図である。
【図６】図６は上記空気調和機の運転停止状態の断面図である。
【図７】図７は上記空気調和機の冷房運転時の断面図である。
【図８】図８は上記空気調和機の暖房運転時のディフューザを下げた状態の正面図である。
【図９】図９は上記空気調和機の要部のブロック図である。
【図１０】図１０は上記空気調和機の冷房運転時のスイング動作を説明するための図である。
【図１１】図１１は上記空気調和機の暖房運転時のスイング動作を説明するための図である。
【図１２】図１２はディフューザと第１,第２水平フラップのスイング動作開始時のタイミング図である。
【図１３】図１３はディフューザと第１,第２水平フラップの全閉状態からスイング動作開始時のタイミング図である。
【図１４】図１４はディフューザと第１,第２水平フラップのスイング動作を停止して全閉状態にするときのタイミング図である。
【符号の説明】
【０１４６】
１０…ケーシング
１２a,１３a…吸込口
１１…底フレーム
１２…前面グリル
１３…前面パネル
２０…吹出口
２１…第１水平フラップ
２１a…支持アーム干渉防止用切り欠き部
２１b,２１c,２１d…第２水平フラップ干渉防止用切り欠き部
２２…第２水平フラップ
２３…ディフューザ
２３a…凹部
２４…支持アーム
２５…垂直フラップ
３１…室内熱交換器
３２…送風ファン
３３…吹出通路
３４…風通路
３５…突起
４１…中央軸部
４２…左軸部
４３…右側軸受部
５１…中央軸部
５２…左軸部
５３…右側軸受部
６１…中央軸部
６２…左軸部
６３…右側軸受部
１００…制御部
１０１…ディフューザ駆動モータ
１０２…第１水平フラップ駆動モータ
１０３…第２水平フラップ駆動モータ
１０４…温度センサ
１０５…ファンモータ
１０６…表示部
【図１】
2010121878.tif 000003
【図２】
2010121878.tif 000004
【図３】
2010121878.tif 000005
【図４】
2010121878.tif 000006
【図５】
2010121878.tif 000007
【図６】
2010121878.tif 000008
【図７】
2010121878.tif 000009
【図８】
2010121878.tif 000010
【図９】
2010121878.tif 000011
【図１０】
2010121878.tif 000012
【図１１】
2010121878.tif 000013
【図１２】
2010121878.tif 000014
【図１３】
2010121878.tif 000015
【図１４】
2010121878.tif 000016